(57)【要約】  本発明によれば、移動通信端末のローミング処理方法であって、海外ローミングモードで動作する状態で、呼発信が試みられた着信番号のタイプ（ＴＯＮ）を確認する段階；着信番号のタイプ（ＴＯＮ）が国際呼ではない場合、前記着信番号がホーム網の電話番号か在圏網の電話番号かを確認する段階；及び前記着信番号がホーム網の電話番号であると確認された場合には貯蔵部に貯蔵されているホーム国コード（ＣＣ）を利用して前記着信番号を国際呼番号に変更し前記着信番号のタイプ（ＴＯＮ）を国際呼に変更した後変更された着信番号をもって呼発信を要請し、前記着信番号が在圏網の電話番号であると確認された場合には番号変更なくローカル呼発信を要請する段階；を含むことを特徴とする国際呼ローミングサービスの提供方法が開示される。
2010529711.tif 000002
【特許請求の範囲】
【請求項１】
移動通信端末のローミング処理方法であって、
（ａ）海外ローミングモードで動作する状態で、呼発信が試みられた着信番号のタイプ（ＴＯＮ）を確認する段階；
（ｂ）着信番号のタイプ（ＴＯＮ）が国際呼ではない場合、前記着信番号がホーム網の電話番号か在圏網の電話番号かを確認する段階；及び
（ｃ）前記着信番号がホーム網の電話番号であると確認された場合には貯蔵部に貯蔵されているホーム国コード（ＣＣ）を利用して前記着信番号を国際呼番号に変更し前記着信番号のタイプ（ＴＯＮ）を国際呼に変更した後変更された着信番号をもって呼発信を要請し、前記着信番号が在圏網の電話番号であると確認された場合には番号変更なくローカル呼発信を要請する段階；を含むことを特徴とする国際呼ローミングサービスの提供方法。
【請求項２】
前記段階（ａ）において、
前記呼発信の試みは、使用者の電話帳検索及び選択、使用者の直接入力、またはＳＭＳコールバックによって行われることを特徴とする請求項１に記載の国際呼ローミングサービスの提供方法。
【請求項３】
前記段階（ｂ）において、
前記着信番号がホーム網の電話番号か在圏網の電話番号かを確認するためのメッセージウィンドウを生成して使用者インターフェースを通じて表示する段階；をさらに含むことを特徴とする請求項１または請求項２に記載の国際呼ローミングサービスの提供方法。
【請求項４】
前記国際呼番号への変更は、前記ホーム国コード（ＣＣ）を前記着信番号の前に挿入し、着信番号に含まれた最初の「０」を削除することで行われることを特徴とする請求項１に記載の国際呼ローミングサービスの提供方法。
【請求項５】
移動通信端末のローミング処理方法であって、
海外ローミングモードで、呼着信あるいはＳＭＳ受信時の発信番号のタイプ（ＴＯＮ）を確認する段階；
前記発信番号のタイプ（ＴＯＮ）が国際呼である場合、貯蔵部に貯蔵されているホーム国コード（ＣＣ）と前記発信番号の国コード（ＣＣ）とを比較する段階；
前記比較結果、国コード（ＣＣ）が相互同一である場合、前記発信番号を国内呼番号に変更し、前記発信番号のタイプ（ＴＯＮ）を国際呼として認識できないタイプに変更する段階；及び
貯蔵部に貯蔵されている電話帳を検索して前記発信番号とマッチングされる発信加入者の名前を画面に出力する段階；を含むことを特徴とする国際呼ローミングサービスの提供方法。
【請求項６】
前記国内呼番号への変更は、前記発信番号のホーム国コードを削除し、発信番号の前に「０」を追加することで行われることを特徴とする請求項５に記載の国際呼ローミングサービスの提供方法。
【請求項７】
前記海外ローミングモードは、ＷＣＤＭＡ網によって提供されることを特徴とする請求項１または請求項５に記載の国際呼ローミングサービスの提供方法。
【請求項８】
国際呼ローミングサービスの提供のための移動通信端末であって、
移動通信端末が加入されたホーム網の国コードと電話帳とが貯蔵された貯蔵部；
移動通信網から受信した事業者情報と設定された事業者情報とを互いに比較して海外ローミングモードであるか否かを判断する海外ローミングモード認知部；
海外ローミングモードで動作する状態で、呼発信が要請された着信番号のタイプ（ＴＯＮ）を確認するＴＯＮ確認部；
前記着信番号のタイプ（ＴＯＮ）が国際呼ではないと同時に前記着信番号がホーム網の電話番号であると確認された場合、前記貯蔵部に貯蔵されているホーム国コードを利用して前記着信番号を国際呼番号に変更し前記着信番号のタイプを国際呼に変更する着信番号変更部；及び
前記着信番号がホーム網の電話番号である場合には前記着信番号変更部によって変更された着信番号をもって国際呼発信を要請し、前記着信番号が在圏網の電話番号である場合にはローカル呼発信を要請する呼発信要請部；を含むことを特徴とする移動通信端末。
【請求項９】
前記ＴＯＮ確認部は、
使用者の電話帳検索及び選択、使用者の直接入力、またはＳＭＳコールバックによって呼発信が要請された着信番号のタイプ（ＴＯＮ）を確認することを特徴とする請求項８に記載の移動通信端末。
【請求項１０】
前記着信番号のタイプ（ＴＯＮ）が国際呼ではない場合、前記着信番号がホーム網の電話番号か在圏網の電話番号かを使用者に確認させるためのメッセージウィンドウを生成する着信番号確認ウィンドウ生成部；をさらに含むことを特徴とする請求項８に記載の移動通信端末。
【請求項１１】
前記着信番号変更部は、前記着信番号の前にホーム国コードを挿入し、着信番号に含まれた最初の「０」を削除することで着信番号を国際呼番号に変更することを特徴とする請求項８に記載の移動通信端末。
【請求項１２】
国際呼ローミングサービスの提供のための移動通信端末であって、
移動通信端末が加入されたホーム網の国コードと電話帳とが貯蔵された貯蔵部；
海外ローミングモードで、呼着信あるいはＳＭＳ受信時の発信番号のタイプ（ＴＯＮ）を確認するＴＯＮ確認部；
前記発信番号のタイプ（ＴＯＮ）が国際呼である場合、前記貯蔵部に貯蔵されているホーム国コードと前記発信番号の国コードとを比較する国コード比較部；
前記比較結果、国コードが相互同一である場合、前記発信番号を国内呼番号に変更し前記発信番号のタイプ（ＴＯＮ）を国際呼として認識できないタイプに変更する発信番号変更部；及び
前記移動通信端末の電話帳を検索して前記発信番号とマッチングされる発信加入者の名前を画面に出力する発信番号表示部；を含むことを特徴とする移動通信端末。
【請求項１３】
前記発信番号変更部は、前記発信番号のホーム国コードを削除し、着信番号の前に「０」を追加することで発信番号を国内呼番号に変更することを特徴とする請求項１２に記載の移動通信端末。
【発明の詳細な説明】
【技術分野】
【０００１】
本発明は、国際呼ローミングサービスの提供方法及びそのための移動通信端末に関するものであって、さらに詳しくは、海外ローミングモード時の電話番号使用に便宜を提供するための構成を持つ国際呼ローミングサービスの提供方法及びそのための移動通信端末に関する。
【背景技術】
【０００２】
最近、移動通信需要の急激な増加に伴い世界中どこでも単一の番号で通話が可能なグローバルローミングの要求が高まることによって、加入者識別モジュール（ＳＩＭ：Ｓｕｂｓｃｒｉｂｅｒ Ｉｄｅｎｔｉｔｙ Ｍｏｄｕｌｅ）、使用者識別モジュール（ＵＩＭ：Ｕｓｅｒ Ｉｄｅｎｔｉｔｙ Ｍｏｄｕｌｅ）、汎用加入者識別モジュール（ＵＳＩＭ：Ｕｎｉｖｅｒｓａｌ Ｓｕｂｓｃｒｉｂｅｒ Ｉｄｅｎｔｉｔｙ Ｍｏｄｕｌｅ）などのようなスマートカードを利用した海外ローミングサービスが提供されている。
【０００３】
加入者識別モジュール（ＳＩＭ）とは、移動通信ネットワーク認証のためにヨーロッパ型無線通信（ＧＳＭ：Ｇｌｏｂａｌ Ｓｙｓｔｅｍ ｆｏｒ Ｍｏｂｉｌｅ ｃｏｍｍｕｎｉｃａｔｉｏｎ）方式の端末に挿入されるスマートカードモジュールであって、ＩＳＯ（Ｉｎｔｅｒｎａｔｉｏｎａｌ Ｏｒｇａｎｉｚａｔｉｏｎ ｆｏｒ Ｓｔａｎｄａｒｄｉｚａｔｉｏｎ） ７８１６に従い、電話帳や無線通信サービス事業者情報のような非揮発性データの貯蔵と暗号化処理及びソフトウェアの実行が可能である。そして、加入者識別モジュール（ＳＩＭ）カードは、電話番号、個人の保安キー、移動通信端末の作動に必要なデータなどを貯蔵しているので、使用していた移動通信端末から分離して新しい移動通信端末に装着する場合、新しい移動通信端末で通話が可能である。
【０００４】
使用者識別モジュール（ＵＩＭ）とは、ＩＳＯ ７８１６に従うスマートカードモジュールであって、ＣＤＭＡ（Ｃｏｄｅ Ｄｉｖｉｓｉｏｎ Ｍｕｌｔｉｐｌｅ Ａｃｃｅｓｓ）とヨーロッパ型無線通信（ＧＳＭ）方式との多重モード端末機に挿入されて認証とローミング機能を支援することができる。使用者識別モジュール（ＵＩＭ）カードは、一種のＣＤＭＡ ＳＩＭカードと言える。
【０００５】
汎用加入者識別モジュール（ＵＳＩＭ）もＩＳＯ ７８１６に従うスマートカードモジュールであって、３世代無線通信端末機に挿入されてネットワーク認証と付加機能とを提供し、最小６４ＫＢ ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ Ｏｎｌｙ Ｍｅｍｏｒｙ）を搭載するように規格化されている。
【０００６】
移動通信端末で国際電話をかけるためには、国際呼認識番号または国際電話認識番号（例えば、００１, ００２, ００３４５など）を電話番号の最初に入力した後、国家番号、０を除いた電話番号を順次入力しなければならない。もし、使用者が国際呼認識番号を知らないか、移動通信事業者側でデフォルトで提供する国際呼認識番号を利用しようとする場合には、電話番号の最初に「＋」記号を入力することで国際呼を要請することができる。一般的なＧＳＭ端末の場合、「＋」記号は、「*」を連続して入力するか、「０」を長く入力すれば画面に表示される。
【０００７】
移動通信端末のメモリまたはスマートカードモジュール（ＳＩＭ, ＵＩＭ, ＵＳＩＭ）のメモリに貯蔵されている電話帳を利用するときにも同じ方式を使用する。すなわち、電話帳に電話番号を貯蔵するとき、電話番号の最初に「＋」を入力しなければ番号タイプ（ＴＯＮ：Ｔｙｐｅ Ｏｆ Ｎｕｍｂｅｒ）が「Ｕｎｋｎｏｗｎ」として貯蔵され、「＋」を入力すれば番号タイプ（ＴＯＮ）が「Ｉｎｔｅｒｎａｔｉｏｎａｌ」として貯蔵される。そうすることによって、移動通信網において着信番号の番号タイプ（ＴＯＮ）から国際呼であるか否かが判断できるようになる。ここで、「Ｕｎｋｎｏｗｎ」は移動通信端末または交換局（ＭＳＣ：Ｍｏｂｉｌｅ Ｓｗｉｔｃｈｉｎｇ Ｃｅｎｔｅｒ）において電話番号のタイプ（ＴＯＮ）を国際呼として認識できない識別子体系を意味し、「Ｉｎｔｅｒｎａｔｉｏｎａｌ」は国際呼として認識できる識別子体系を意味する。
【０００８】
図１には、移動通信端末の電話帳に収録された着信番号に対して行われる従来の呼連結過程が示されている。
【０００９】
図１を参照すれば、使用者が移動通信端末のメモリまたはＵＳＩＭに貯蔵された電話番号を検索して（Ｓ１０１）特定の着信加入者の電話番号をもって呼発信を試みれば（Ｓ１０２）、交換局（ＭＳＣ）で着信番号のタイプ（ＴＯＮ：Ｔｙｐｅ Ｏｆ Ｎｕｍｂｅｒ）を判断する（Ｓ１０３）。
【００１０】
Ｓ１０３の判断結果、着信番号のタイプが「Ｕｎｋｎｏｗｎ」である場合には着信番号を翻訳して呼処理（国内呼）を行い（Ｓ１０７）、着信番号のタイプが「ＩＮＴ（Ｉｎｔｅｒｎａｔｉｏｎａｌ）」である場合には着信番号の国コード（ＣＣ：Ｃｏｕｎｔｒｙ Ｃｏｄｅ）が在圏網（Ｖｉｓｉｔｅｄ Ｎｅｔｗｏｒｋ）の国コードと同一であるか否かを判断する（Ｓ１０４）。
【００１１】
Ｓ１０４の判断結果、着信番号の国コードが在圏網の国コードと同一ではない場合には、交換局に設定された国際ＰＦＸを着信番号の前に挿入しＩＡＭ（Ｉｎｉｔｉａｌ Ａｄｄｒｅｓｓ Ｍｅｓｓａｇｅ）を国際関門交換局（Ｉｎｔｅｒｎａｔｉｏｎａｌ Ｇａｔｅｗａｙ ＭＳＣ）に伝送して呼処理（国際呼）を行う（Ｓ１０５及びＳ１０７）。
【００１２】
一方、着信番号の国コードが在圏網の国コードと同一である場合には、ＳＲＩ（Ｓｅｎｄｉｎｇ Ｒｏｕｔｉｎｇ Ｉｎｆｏｒｍａｔｉｏｎ）メッセージをホーム位置レジスタ（ＨＬＲ：Ｈｏｍｅ Ｌｏｃａｔｉｏｎ Ｒｅｇｉｓｔｅｒ）または在圏網の他社業者の関門交換局に伝送して呼処理を行う（Ｓ１０６及びＳ１０７）。
【００１３】
ところが、このような従来の呼連結方式は、国内で使用していた移動通信端末を海外でローミングして使う場合に、電話帳を利用した通話が処理できない場合がしばしば発生する。すなわち、電話帳に貯蔵されている国内の電話番号は海外ローミングモードで国際呼として処理されなければならないにもかかわらず、国内で貯蔵した電話番号のＴＯＮはほとんど「Ｕｎｋｎｏｗｎ」に設定されているので、海外ローミング時に電話帳に貯蔵されている電話番号をそのまま利用することによっては通話ができないという問題点がある。
【００１４】
一方、従来には、在圏網に属した電話番号を移動通信端末の電話帳に貯蔵して使う場合それぞれの電話番号に在圏網の国コードを含ませて貯蔵しなければならないので使用が不便であるという問題がある。
【発明の概要】
【発明が解決しようとする課題】
【００１５】
本発明は、前述のような点を考慮して創案されたものであって、海外ローミングモード時に呼発信が要請される着信番号が国際呼タイプではないホーム網（Ｈｏｍｅ Ｎｅｔｗｏｒｋ）の電話番号である場合これを国際呼タイプに変更して呼処理を行い、着信番号が在圏網の電話番号である場合にはローカル呼処理を行う国際呼ローミングサービスの提供方法及びそのための移動通信端末を提供することに目的がある。
【００１６】
また本発明は、海外ローミングモード時に呼発信が要請される着信番号が国際呼タイプではない場合、ホーム網の電話番号か在圏網の電話番号かを使用者が確認してホーム網への国際呼と在圏網のローカル呼を区分して処理することができる国際呼ローミングサービスの提供方法及びそのための移動通信端末を提供することに目的がある。
【００１７】
本発明の他の目的は、呼着信またはＳＭＳ（Ｓｈｏｒｔ Ｍｅｓｓａｇｅ Ｓｅｒｖｉｃｅ）受信された電話番号が移動通信端末の電話帳に貯蔵されたホーム網の電話番号である場合、該当の発信者情報を表示する国際呼ローミングサービスの提供方法及びそのための移動通信端末を提供することにある。
【課題を解決するための手段】
【００１８】
本発明の望ましい実施例による国際呼ローミングサービスの提供方法は、移動通信端末のローミング処理方法であって、（ａ）海外ローミングモードで動作する状態で、呼発信が試みられた着信番号のタイプ（ＴＯＮ）を確認する段階；（ｂ）着信番号のタイプ（ＴＯＮ）が国際呼ではない場合、前記着信番号がホーム網の電話番号か在圏網の電話番号かを確認する段階；及び（ｃ）前記着信番号がホーム網の電話番号であると確認された場合には、貯蔵部に貯蔵されているホーム国コード（ＣＣ）を利用して前記着信番号を国際呼番号に変更し前記着信番号のタイプ（ＴＯＮ）を国際呼に変更した後変更された着信番号をもって呼発信を要請し、前記着信番号が在圏網の電話番号であると確認された場合には番号変更なくローカル呼発信を要請する段階；を含む。
【００１９】
前記段階（ａ）において、前記呼発信の試みは、使用者の電話帳検索及び選択、使用者の直接入力、またはＳＭＳコールバックによって行われることができる。
【００２０】
前記段階（ｂ）には、前記着信番号がホーム網の電話番号か在圏網の電話番号かを確認するためのメッセージウィンドウを生成して使用者インターフェースを通じて表示する段階；がさらに含まれることができる。
【００２１】
前記国際呼番号への変更は、前記ホーム国コード（ＣＣ）を前記着信番号の前に挿入し、着信番号に含まれた最初の「０」を削除することで行われることが望ましい。
【００２２】
本発明の他の実施例によれば、移動通信端末のローミング処理方法であって、海外ローミングモードで、呼着信あるいはＳＭＳ受信時の発信番号のタイプ（ＴＯＮ）を確認する段階；前記発信番号のタイプ（ＴＯＮ）が国際呼である場合、貯蔵部に貯蔵されているホーム国コード（ＣＣ）と前記発信番号の国コード（ＣＣ）とを比較する段階；前記比較結果、国コード（ＣＣ）が相互同一である場合、前記発信番号を国内呼番号に変更し、前記発信番号のタイプ（ＴＯＮ）を国際呼として認識できないタイプに変更する段階；及び貯蔵部に貯蔵されている電話帳を検索して前記発信番号とマッチングされる発信加入者の名前を画面に出力する段階；を含むことを特徴とする国際呼ローミングサービスの提供方法が提供される。
【００２３】
本発明の他の側面によれば、国際呼ローミングサービスの提供のための移動通信端末であって、移動通信端末が加入されたホーム網の国コードと電話帳とが貯蔵された貯蔵部；移動通信網から受信した事業者情報と設定された事業者情報とを互いに比較して海外ローミングモードであるか否かを判断する海外ローミングモード認知部；海外ローミングモードで動作する状態で、呼発信が要請された着信番号のタイプ（ＴＯＮ）を確認するＴＯＮ確認部；前記着信番号のタイプ（ＴＯＮ）が国際呼ではないと同時に前記着信番号がホーム網の電話番号であると確認された場合、前記貯蔵部に貯蔵されているホーム国コードを利用して前記着信番号を国際呼番号に変更し前記着信番号のタイプを国際呼に変更する着信番号変更部；及び前記着信番号がホーム網の電話番号である場合には前記着信番号変更部によって変更された着信番号をもって国際呼発信を要請し、前記着信番号が在圏網の電話番号である場合にはローカル呼発信を要請する呼発信要請部；を含むことを特徴とする移動通信端末が提供される。
【００２４】
前記ＴＯＮ確認部は、使用者の電話帳検索及び選択、使用者の直接入力、またはＳＭＳコールバックによって呼発信が要請された着信番号のタイプ（ＴＯＮ）を確認するように構成することができる。
【００２５】
望ましくは、移動通信端末には前記着信番号のタイプ（ＴＯＮ）が国際呼ではない場合、前記着信番号がホーム網の電話番号か在圏網の電話番号かを使用者に確認させるためのメッセージウィンドウを生成する着信番号確認ウィンドウ生成部；がさらに含まれることができる。
【００２６】
前記着信番号変更部は、前記着信番号の前にホーム国コードを挿入し、着信番号に含まれた最初の「０」を削除することで着信番号を国際呼番号に変更することが望ましい。
【図面の簡単な説明】
【００２７】
本明細書に添付される下記の図面は本発明の望ましい実施例を例示するものであって、発明の詳細な説明とともに本発明の技術思想をさらに理解させる役割を果たすものであるため、本発明はそのような図面に記載された事項にのみ限定されて解釈されてはいけない。
【図１】移動通信端末の電話帳に収録された着信番号に対して行われる従来の呼連結過程を示す流れ図である。
【図２】本発明が適用される移動通信システムの構成図である。
【図３】本発明の一実施例による国際呼ローミングサービスの提供方法が行われる過程を示す流れ図である。
【図４】本発明の一実施例による国際呼ローミングサービスの提供方法が行われる過程を示す流れ図である。
【図５】本発明によって提供されるＳＭＳコールバックを利用した国際呼発信処理過程を示す流れ図である。
【図６】本発明によって提供される発信者情報表示が可能な国際呼着信処理過程を示す流れ図である。
【図７】本発明によって提供される発信者情報表示が可能な国際呼着信処理過程を示す流れ図である。
【図８】本発明によって提供される国際呼ローミングサービス提供システムの構成図である。
【図９】本発明による国際呼ローミングサービス方法に使用される移動通信端末の構成図である。
【図１０】本発明の望ましい実施例による移動通信端末に備えられた国際呼ローミング装置の構成図である。
【発明を実施するための形態】
【００２８】
以下、添付した図面を参照しながら本発明の望ましい実施例を詳しく説明する。これに先立って、本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に符合する意味と概念とに解釈されなければならない。従って、本明細書に記載された実施例と図面に示された構成は本発明の最も望ましい一実施例に過ぎず、本発明の技術的思想の全てを代弁するものではないため、本出願時点においてこれらに代替できる多様な均等物と変形例があり得ることを理解しなければならない。
【００２９】
図２は、本発明が適用される移動通信システムの概略的な構成図である。
【００３０】
図２を参照すれば、本発明が適用される移動通信システムは、国際関門交換局（Ｉｎｔｅｒｎａｔｉｏｎａｌ Ｇａｔｅｗａｙ ＭＳＣ）１１、交換局（ＭＳＣ：Ｍｏｂｉｌｅ Ｓｗｉｔｃｈｉｎｇ Ｃｅｎｔｅｒ）１２、ホーム位置レジスタ（ＨＬＲ：Ｈｏｍｅ Ｌｏｃａｔｉｏｎ Ｒｅｇｉｓｔｅｒ）１３、訪問者位置レジスタ（ＶＬＲ）１４、基地局制御機（ＢＳＣ：Ｂａｓｅ Ｓｔａｔｉｏｎ Ｃｏｎｔｒｏｌｌｅｒ）１５及び基地局（ＢＴＳ：Ｂａｓｅ ｓｔａｔｉｏｎ Ｔｒａｎｃｅｉｖｅｒ Ｓｙｓｔｅｍ）１６を含む。このような移動通信システムは国際間ローミングに適したＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）網の通信システムであることが望ましいが、本発明がこれに限定されないのは言うまでもない。
【００３１】
国際関門交換局１１は、公衆電話網（ＰＳＴＮ）、他移動事業者網または国際電話事業者網との効率的な網の連動機能を行う。
【００３２】
交換局（ＭＳＣ）１２は、基地局制御機（ＢＳＣ）１５とのインターフェース機能を提供し、移動加入者相互間の交換、移動通信加入者とＰＳＴＮ、ＩＳＤＮなどの固定網加入者との交換機能（連動機能）を提供する。このために、交換局（ＭＳＣ）１２は加入者情報を貯蔵しているホーム位置レジスタ（ＨＬＲ）１３及び訪問者位置レジスタ（ＶＬＲ）１４と情報を交換する機能を提供する。
【００３３】
また、交換局（ＭＳＣ）１２は、移動通信端末（例えば、ＷＣＤＭＡ端末）１０の国際呼ローミングのために国際呼ローミングサービス提供システム（図８の４００参照）を含んでいる。国際呼ローミングサービス提供システム４００は、移動通信端末１０に事業者情報を伝送して海外ローミングモードで動作できるようにし、海外ローミングモードで動作している移動通信端末１０から呼発信の要請を受ければ、着信番号を分析して該当のホーム位置レジスタ（ＨＬＲ）１３や国際関門交換局１１に呼発信を要請することで呼処理を行う。
【００３４】
ローミング時に在圏網に属した交換局（以下、「国外交換局」という）（ＭＳＣ）１２は、移動通信端末１０から呼発信の要請を受けた着信番号に含まれた国コード（ＣＣ）が自国の国コード（ＣＣ）でなければ国際関門交換局１１に呼を伝達して国際呼の処理を行い、自国のコードである場合にはホーム位置レジスタ（ＨＬＲ）１３にＳＲＩ（Ｓｅｎｄｉｎｇ Ｒｏｕｔｉｎｇ Ｉｎｆｏｒｍａｔｉｏｎ）メッセージを伝送してローカル呼が行われるようにするか、自国の他事業者番号である場合にはＩＡＭ（Ｉｎｉｔｉａｌ Ａｄｄｒｅｓｓ Ｍｅｓｓａｇｅ）を該当の事業者の交換局に伝送する。例えば、中国事業者Ａの国コードが８６であり局番が０１０‐１２３４である場合、中国事業者Ａが属した国外交換局（ＭＳＣ）１２には＋８６１０１２３４及び０１０１２３４の番号が同一のホーム位置レジスタ（ＨＬＲ）１３にルーティングされるように登録される。
【００３５】
このとき、移動通信端末１０から呼発信の要請を受けたホーム網の着信番号は移動通信端末１０によって変更された番号に該当する。すなわち、移動通信端末１０から呼発信が要請されたホーム網の着信番号は、使用者の電話帳の選択やキーパッドを利用した番号入力によって、移動通信端末１０に設定されたホーム国コードが着信番号の前に挿入され着信番号の最初の「０」が削除された後、着信番号のタイプ（ＴＯＮ）が国際呼に変更された番号に該当する。
【００３６】
国際呼ローミングサービス提供システム４００及び移動通信端末１０のより詳細な構成に対しては、図８ないし図１０を参照しながら後述する。
【００３７】
ホーム位置レジスタ（ＨＬＲ）１３は、加入者情報を管理するデータベースであって、実時間でＤＢ管理が可能な構造となっており、着信加入者のルーティング機能を行う。
【００３８】
基地局制御機（ＢＳＣ）１５は、基地局（ＢＴＳ）１６との整合、セル間のハンドオーバー処理、呼制御などの機能を行い、一つの基地局制御機（ＢＳＣ）１６は複数の基地局（ＢＴＳ）１６を制御する。
【００３９】
基地局（ＢＴＳ）１６は、無線信号送受信、システム同期（ＧＰＳ）、無線チャンネル符号化及び復号化、信号強度及び品質の測定（上向きリンク）、基底帯域信呼処理、ダイバーシティ、無線資源管理及び自体の維持補修機能を行う。
【００４０】
以下、図３ないし図７を参照しながら国外でローミング中である移動通信端末１０に対して提供される国際呼ローミングサービスの提供方法を説明する。
【００４１】
まず、図３には、本発明の一実施例による国際呼ローミングサービスの提供方法が行われる過程が示されている。
【００４２】
図３を参照すれば、移動通信端末１０は、国外交換局（ＭＳＣ）１２より事業者情報を受信すれば（Ｓ２０１）、受信した事業者情報とスマートカード（ＵＳＩＭ）に貯蔵されている事業者情報とを互いに比較する（Ｓ２０２）。
【００４３】
比較結果、国外交換局（ＭＳＣ）１２より受信した事業者情報とスマートカード（ＵＳＩＭ）に貯蔵されている事業者情報とが互いに同一であれば一般呼の処理手続き（図示せず）に従って動作し、互いに同じでなければ海外ローミングモードとして認識する（Ｓ２０３）。
【００４４】
以後、海外ローミングモードで動作する状態で、使用者の電話帳検索及び選択によって呼発信が試みられた着信番号のタイプ（ＴＯＮ）を確認する手続きを行う（Ｓ２０４ないしＳ２０６）。
【００４５】
確認結果、着信番号のタイプ（ＴＯＮ）が国際呼（ＴＯＮ＝ＩＮＴ）である場合、移動通信端末１０は選択された着信番号に対して国外交換局（ＭＳＣ）１２に呼発信を要請する（Ｓ２０７）。
【００４６】
国外交換局（ＭＳＣ）１２においては着信番号の国コード（ＣＣ）を国外交換局（ＭＳＣ）１２が属した在圏網の国コード（ＣＣ）と比較して一致するか否かを確認する（Ｓ２０８）。
【００４７】
確認結果、着信番号の国コード（ＣＣ）が在圏網の国コード（ＣＣ）と一致する場合、国外交換局（ＭＳＣ）１２は前記在圏網に属したホーム位置レジスタ（以下、「国外ホーム位置レジスタ」という）（ＨＬＲ）１３にＳＲＩメッセージを伝送してローカル呼処理が行われるようにし（Ｓ２０９）、一致しない場合には国際関門交換局１１にＩＡＭを伝送して国際呼処理が行われるようにする（Ｓ２１０）。
【００４８】
Ｓ２０６において着信番号のタイプ（ＴＯＮ）が国際呼（ＴＯＮ＝ＩＮＴ）ではないと判断された場合、移動通信端末１０は入力された着信番号がホーム網の番号（国内番号）か在圏網の番号かを選択するウィンドウを生成して使用者インターフェース（ＵＩ）を通じて提供する（Ｓ２１１）。
【００４９】
使用者の確認が入力された後国内番号か否かを判断したとき（Ｓ２１２）、着信番号が国内番号ではない場合これは在圏網の番号であることを意味するので、移動通信端末１０は国外交換局（ＭＳＣ）１２に呼発信を要請し（Ｓ２１３）、国外交換局（ＭＳＣ）１２は国外ホーム位置レジスタ（ＨＬＲ）１３にＳＲＩメッセージを伝送してローカル呼処理が行われるようにする（Ｓ２１４）。代案として、国外交換局（ＭＳＣ）１２は、ＳＲＩメッセージを在圏網の他事業者関門交換局に伝送してローカル呼処理を行うことも可能である。
【００５０】
一方、Ｓ２１２の判断結果、着信番号が国内番号である場合、移動通信端末１０は設定されているホーム国コードを着信番号の前に挿入し、着信番号の最初の「０」を削除した後、着信番号のタイプ（ＴＯＮ）を国際呼（ＴＯＮ＝ＩＮＴ）に変更する（Ｓ２１５）。
【００５１】
以後、移動通信端末１０は変更した着信番号をもって国外交換局（ＭＳＣ）１２に呼発信を要請し（Ｓ２１６）、国外交換局（ＭＳＣ）１２ではＩＡＭを国際関門交換局１１に伝送する（Ｓ２１７）。
【００５２】
図４には、本発明の他の実施例による国際呼ローミングサービスの提供方法が行われる過程が示されている。本実施例は、移動通信端末１０の呼発信の試みが使用者によって直接番号入力される点が前述の実施例と異なる。
【００５３】
すなわち、Ｓ２０４‐１のように、使用者は移動通信端末１０の電話帳を利用せずに移動通信端末１０のキーパッドを利用して直接着信番号を入力することで呼発信を試みる。
【００５４】
呼発信を試みるとき移動通信端末１０は、前述の実施例と同じく、入力された着信番号がホーム網の番号（国内番号）か在圏網の番号かを選択するウィンドウを生成して使用者インターフェース（ＵＩ）を通じて提供する（Ｓ２１１）。以下の処理過程は前述の実施例と同一であるので、詳細な説明は略する。
【００５５】
図５には、ＳＭＳコールバックを利用した国際呼ローミングサービスの提供方法が行われる過程が示されている。
【００５６】
図５を参照すれば、移動通信端末１０は、ＳＭＳメッセージが受信された後使用者がコールバック番号を利用して呼発信を試みるによって着信番号のタイプ（ＴＯＮ）を確認する手続きを行う（Ｓ３０１ないしＳ３０３）。
【００５７】
確認結果、着信番号のタイプ（ＴＯＮ）が国際呼（ＴＯＮ＝ＩＮＴ）である場合、移動通信端末１０は選択された着信番号に対して国外交換局（ＭＳＣ）１２に呼発信を要請する（Ｓ３０４）。
【００５８】
国外交換局（ＭＳＣ）１２においては着信番号の国コード（ＣＣ）を国外交換局（ＭＳＣ）１２が属した在圏網の国コード（ＣＣ）と比較して一致するか否かを確認する（Ｓ３０５）。
【００５９】
確認結果、着信番号の国コード（ＣＣ）が在圏網の国コード（ＣＣ）と一致する場合、国外交換局（ＭＳＣ）１２は国外ホーム位置レジスタ（ＨＬＲ）１３にＳＲＩメッセージを伝送してローカル呼処理が行われるようにし（Ｓ３０６）、一致しない場合には国際関門交換局１１にＩＡＭを伝送して国際呼処理が行われるようにする（Ｓ３０７）。
【００６０】
Ｓ３０３において着信番号のタイプ（ＴＯＮ）が国際呼（ＴＯＮ＝ＩＮＴ）ではないと判断された場合、移動通信端末１０は入力された着信番号がホーム網の番号（国内番号）か在圏網の番号かを選択するウィンドウを生成して使用者インターフェース（ＵＩ）を通じて提供する（Ｓ３０８）。
【００６１】
使用者の確認が入力された後国内番号か否かを判断したとき（Ｓ３０９）、着信番号が国内番号ではない場合これは在圏網の番号であることを意味するので、移動通信端末１０は国外交換局（ＭＳＣ）１２に呼発信を要請し（Ｓ３１０）、国外交換局（ＭＳＣ）１２は国外ホーム位置レジスタ（ＨＬＲ）１３にＳＲＩメッセージを伝送してローカル呼処理が行われるようにする（Ｓ３１１）。代案として、国外交換局（ＭＳＣ）１２は、ＳＲＩメッセージを在圏網の他事業者関門交換局に伝送してローカル呼処理を行うことも可能である。
【００６２】
一方、Ｓ３０９の判断結果、着信番号が国内番号である場合、移動通信端末１０は設定されているホーム国コードを着信番号の前に挿入し、着信番号の最初の「０」を削除した後、着信番号のタイプ（ＴＯＮ）を国際呼（ＴＯＮ＝ＩＮＴ）に変更する（Ｓ３１２）。
【００６３】
以後、移動通信端末１０は変更された着信番号をもって国外交換局（ＭＳＣ）１２に呼発信を要請し（Ｓ３１３）、国外交換局（ＭＳＣ）１２ではＩＡＭを国際関門交換局１１に伝送する（Ｓ３１４）。
【００６４】
図６及び図７には、発信者情報表示が可能な国際呼ローミングサービスの提供方法が行われる過程が示されている。
【００６５】
まず、図６を参照すれば、移動通信端末１０は、国外交換局（ＭＳＣ）１２から呼着信がなされてから発信番号のタイプ（ＴＯＮ）を確認する手続きを行う（Ｓ４０１及びＳ４０２）。
【００６６】
確認結果、発信番号のタイプ（ＴＯＮ）が国際呼（ＴＯＮ＝ＩＮＴ）ではない場合、移動通信端末１０は特に番号変更動作を取らずに電話帳を検索して該当の発信番号が存在するか否かを確認する（Ｓ４０６）。
【００６７】
確認結果、電話帳に発信番号が存在する場合には使用者インターフェース（ＵＩ）を通じて該当の電話番号とそれにマッチングされる発信者名とを画面に表示し（Ｓ４０７）、存在しない場合には発信者電話番号のみを表示する（Ｓ４０８）。
【００６８】
一方、発信番号のタイプ（ＴＯＮ）が国際呼（ＴＯＮ＝ＩＮＴ）である場合、移動通信端末１０は設定されているホーム網の国コードを前記国外交換局（ＭＳＣ）１２から発信番号とともに伝送された国コードと比較して同一であるか否かを判断する（Ｓ４０３及びＳ４０４）。
【００６９】
判断結果、国コードが相互同一ではない場合には、特に番号変更動作を取らずにＳ４０６ないしＳ４０８の処理を行う。
【００７０】
Ｓ４０４の判断結果、国コードが相互同一である場合（発信番号がホーム網の番号である場合）には、発信番号のタイプ（ＴＯＮ）を 「Ｕｎｋｎｏｗｎ」に変更し発信番号を国内呼番号の形態に変更した後（Ｓ４０５）、Ｓ４０６ないしＳ４０８の処理を行う。このとき、国内呼番号への変更は、発信番号のホーム国コードを削除し、着信番号の前に「０」を追加することで行われることが望ましい。
【００７１】
図７に示す国際呼ローミングサービスの提供方法は、ＳＭＳ受信時に発信者情報を表示する点が前述した実施例と異なる。
【００７２】
図７を参照すれば、移動通信端末１０は、国外交換局（ＭＳＣ）１２からＳＭＳメッセージが受信されてから発信番号のタイプ（ＴＯＮ）を確認する手続きを行う（Ｓ５０１及びＳ５０２）。
【００７３】
確認結果、発信番号のタイプ（ＴＯＮ）が国際呼（ＴＯＮ＝ＩＮＴ）ではない場合、移動通信端末１０は特に番号変更動作を取らずに電話帳を検索して該当の発信番号が存在するか否かを確認する（Ｓ５０６）。
【００７４】
確認結果、電話帳に発信番号が存在する場合には使用者インターフェース（ＵＩ）を通じて該当の電話番号とそれにマッチングされる発信者名とを画面に表示し（Ｓ５０７）、存在しない場合には発信者電話番号のみを表示する（Ｓ５０８）。
【００７５】
一方、発信番号のタイプ（ＴＯＮ）が国際呼（ＴＯＮ＝ＩＮＴ）である場合、移動通信端末１０は設定されているホーム網の国コードを前記国外交換局（ＭＳＣ）１２から発信番号とともに伝送された国コードと比較して同一であるか否かを判断する（Ｓ５０３及びＳ５０４）。
【００７６】
判断結果、国コードが相互同一ではない場合には、特に番号変更動作を取らずにＳ５０６ないしＳ５０８の処理を行う。
【００７７】
Ｓ５０４の判断結果、国コードが相互同一である場合（発信番号がホーム網の番号である場合）には、発信番号のタイプ（ＴＯＮ）を 「Ｕｎｋｎｏｗｎ」に変更し発信番号を国内呼番号の形態に変更した後（Ｓ５０５）、Ｓ５０６ないしＳ５０８の処理を行う。このとき、国内呼番号への変更は、発信番号のホーム国コードを削除し、着信番号の前に「０」を追加することで行われることが望ましい。
【００７８】
図８は、本発明によって提供される国際呼ローミングサービス提供システムの構成図である。
【００７９】
図８を参照すれば、本発明によって提供される国際呼ローミングサービス提供システム４００は、事業者情報伝送部４１、ＣＣ比較部４２、ローカル呼処理部４３及び国際呼処理部４４を含む。このような国際呼ローミングサービス提供システム４００は、移動通信網の交換局（ＭＳＣ）１２内に構築されることが望ましいが、このような例に限定されず別途の外付けサーバーの形態で構成できることは言うまでもない。
【００８０】
事業者情報伝送部４１は、移動通信端末１０に網事業者の情報を伝送して移動通信端末１０が海外ローミングモードでの動作であるか否かが認知できるようにする。
【００８１】
ＣＣ比較部４２は、移動通信端末１０が呼発信を要請したとき着信番号の国コード（ＣＣ）を在圏網の国コード（ＣＣ）と比較することで、国際呼かまたはローカル呼かを確認する。
【００８２】
ローカル呼処理部４３は、ＣＣ比較部４３の確認結果、着信番号が在圏網の番号である場合、国外ホーム位置レジスタ１３にＳＲＩメッセージを伝送してローカル呼処理が行われるようにする。
【００８３】
国際呼処理部４４は、ＣＣ比較部４３によって確認された着信番号のタイプが国際呼（ＴＯＮ＝ＩＮＴ）であり国コード（ＣＣ）が自国コードではない場合、該当の国際関門交換局１１にＩＡＭを伝送して国際呼処理が行われるようにする。
【００８４】
ここで、移動通信端末１０から呼発信が要請された着信番号がホーム網の着信番号である場合、この着信番号は移動通信端末１０によって国際呼に変更された番号に該当する。すなわち、海外ローミングモードで動作する移動通信端末１０の使用者が電話帳検索や直接番号入力、ＳＭＳコールバックなどによってホーム網の電話番号へ呼発信の要請をした場合、移動通信端末１０は設定されているホーム国コードを着信番号の前に挿入し着信番号の最初の「０」を削除した後、着信番号のタイプ（ＴＯＮ）を国際呼に変更する。
【００８５】
図９は、本発明による国際呼ローミングサービス方法に使用される移動通信端末の構成図である。
【００８６】
図９を参照すれば、本発明の望ましい実施例によって提供される移動通信端末１０は、無線送受信装置５１、中央処理装置（ＭＳＭ）５２、コーデック（ＣＯＤＥＣ）５３、貯蔵部５４、音声出力装置（スピーカー）５５、表示装置（ＬＣＤ）５６、入力装置（キーパッド）５７、音声入力装置（マイク）５８及びスマートカード５０を含む。
【００８７】
無線送受信装置５１は、アンテナを通じて基地局と無線で信号を送受信し、無線送受信装置５１を通じて送出される信号が基地局及び移動通信網を通じて相手側の有無線端末に伝送される。
【００８８】
スマートカード５０には、移動通信ネットワーク認証のためのＭＣＣ（Ｍｏｂｉｌｅ Ｃｏｕｎｔｒｙ Ｃｏｄｅ）情報とＭＮＣ（Ｍｏｂｉｌｅ Ｎｅｔｗｏｒｋ Ｃｏｄｅ）情報とが貯蔵される。スマートカード５０としては、加入者識別モジュール（ＳＩＭ：Ｓｕｂｓｃｒｉｂｅｒ Ｉｄｅｎｔｉｔｙ Ｍｏｄｕｌｅ）、使用者識別モジュール（ＵＩＭ：Ｕｓｅｒ Ｉｄｅｎｔｉｔｙ Ｍｏｄｕｌｅ）、汎用加入者識別モジュール（ＵＳＩＭ：Ｕｎｉｖｅｒｓａｌ Ｓｕｂｓｃｒｉｂｅｒ Ｉｄｅｎｔｉｔｙ Ｍｏｄｕｌｅ）などが利用できる。
【００８９】
コーデック（ＣＯＤＥＣ）５３は、中央処理装置５２の制御に従って無線送受信装置５１から伝達された信号を処理して音声出力装置（スピーカー）５５に出力し、音声入力装置（マイク）５８から伝達される音声信号を処理した後、中央処理装置５２に伝達して無線送受信装置５１を通じて送出されるようにする。
【００９０】
音声出力装置（スピーカー）５５は、コーデック（ＣＯＤＥＣ）５３から伝達された音声を出力し、音声入力装置（マイク）５８から音声の入力を受けてコーデック（ＣＯＤＥＣ）５３に伝達する。
【００９１】
入力装置（キーパッド）５７は、ボタンを通じてメニュー選択信号、受信側電話番号などの入力を受ける。
【００９２】
表示装置（ＬＣＤ）５６は、中央処理装置５２の制御による画面を出力する。
【００９３】
貯蔵部５４は、移動通信端末のファイルシステム（イメージ、キャラクター、アイコン）、住所録、短文メッセージ、写真、音楽ファイル、動画ファイルなどを貯蔵している。また、貯蔵部５４には、移動通信端末が加入された事業者情報、ホーム国コード、電話帳などが貯蔵される。
【００９４】
中央処理装置（ＭＳＭ）５２は、移動通信端末１０を駆動及び制御し、移動通信網から受信した事業者情報によって海外ローミングモードであることを認知し、海外ローミングモードで動作する状態で使用者の電話帳検索や直接番号入力などによって呼発信の要請を受けた着信番号のタイプ（ＴＯＮ）がホーム網の電話番号（国内の電話番号）であれば、着信番号及び着信番号のタイプ（ＴＯＮ）を国際呼に変更した後移動通信網の交換局（ＭＳＣ）に呼発信を要請する手段を備えた国際呼ローミング装置６００を含む。
【００９５】
図１０に示す国際呼ローミング装置６００は、海外ローミングモード認知部６１、ＴＯＮ確認部６２、着信番号確認ウィンドウ生成部６３、着信番号変更部６４及び呼発信要請部６５を含む。また、移動通信端末１０が発信番号表示機能を提供する場合、国際呼ローミング装置６００は、国コード比較部６６及び発信番号変更部６７をさらに含む。
【００９６】
海外ローミングモード認知部６１は、移動通信網の国外交換局（ＭＳＣ）１２から受信した事業者情報とスマートカード５０に貯蔵された事業者情報とを互いに比較して海外ローミングモードであるか否かを認識する。望ましくは、海外ローミングモード認知部６１は、スマートカード５０に貯蔵されているＭＣＣ及びＭＮＣ情報と網から送出したＭＣＣ及びＭＮＣ情報とを比較してローミングモードであるか否かを感知する。
【００９７】
ＴＯＮ確認部６２は、海外ローミングモードで動作する状態で、使用者の電話帳検索による呼発信や、直接番号入力、ＳＭＳコールバックなどによる呼発信の要請を受けて着信番号のタイプ（ＴＯＮ）が国際呼か国内呼かを判断する処理を担当する。
【００９８】
着信番号確認ウィンドウ生成部６３は、使用者によって呼発信が試みられる着信番号がホーム網の電話番号か在圏網の電話番号かを使用者に確認させるためのメッセージウィンドウを生成する。着信番号確認ウィンドウ生成部６３によって生成されたメッセージウィンドウは移動通信端末１０の使用者インターフェース（ＵＩ）を通じて画面に表示される。
【００９９】
着信番号変更部６４は、呼発信時に着信番号がホーム網の電話番号であると確認された場合、端末に貯蔵されているホーム国コードを利用して前記着信番号を国際呼番号に変更した後、着信番号のタイプを国際呼に変更する処理を担当する。望ましくは、着信番号変更部６４は端末に貯蔵されているホーム国コードを着信番号の前に挿入し、着信番号の最初の「０」を削除して着信番号を国際呼番号に変換した後、着信番号のタイプ（ＴＯＮ）を国際呼に変更する。
【０１００】
呼発信要請部６４は、着信番号がホーム網の電話番号である場合には着信番号変更部６４によって変更された着信番号をもって国外交換局（ＭＳＣ）１２に呼発信を要請し、着信番号が在圏網の電話番号である場合にはローカル呼発信を要請する。
【０１０１】
国コード比較部６６は、国外交換局（ＭＳＣ）１２から呼着信される発信番号のタイプ（ＴＯＮ）が国際呼である場合、端末に設定されているホーム国コードと前記発信番号の国コードとを比較して発信番号がホーム網の番号なのかを確認する。
【０１０２】
発信番号変更部６７は、国コード比較部６６の比較結果、発信番号の国コードがホーム網の国コードと一致する場合、発信番号を国内呼番号に変更し、前記発信番号のタイプ（ＴＯＮ）を 「Ｕｎｋｎｏｗｎ」に変更する。すなわち、発信番号変更部６７は、発信番号のホーム国コードを削除し、発信番号の前に「０」を追加することで発信番号を国内呼番号に変更する。
【０１０３】
移動通信端末１０の使用者インターフェース（ＵＩ）に含まれる発信番号表示部（図示せず）は、移動通信端末１０の電話帳を検索して前記発信番号変更部６７によって変更された発信番号とマッチングされる発信加入者の名前を移動通信端末１０の画面に出力する。
【０１０４】
本発明によって、移動通信端末１０と国際呼ローミングサービス提供システム４００には、前述のような該当の手続きを行うことができるプログラムを記録した記録媒体（ＲＡＭ、ＲＯＭなど）が搭載できる。
【０１０５】
以上のように、本発明は、たとえ限定された実施例と図面とによって説明されたが、本発明はこれによって限定されず、本発明が属する技術分野において通常の知識を持つ者により本発明の技術思想と特許請求範囲の均等範囲内で多様な修正及び変形が可能なのは言うまでもない。
【産業上の利用可能性】
【０１０６】
本発明によれば、移動通信端末の海外ローミング時に電話帳に貯蔵されているホーム網の電話番号を選択して呼を発信するとき移動通信端末及び移動通信網によって国際呼として処理されるので、国内で利用していた移動通信端末の電話帳を海外ローミング時にも便利に利用することができる。
【０１０７】
また、移動通信端末においてホーム網と在圏網の電話番号を区分して処理することが可能なので、移動通信端末の電話帳に電話番号を貯蔵するときいちいち国コードを含ませて貯蔵する必要のない便宜性を提供することができる。
【０１０８】
さらに、呼着信やＳＭＳ受信される番号がホーム網の番号である場合、電話帳でこれを確認しマッチングされる発信者情報を表示することができる。
【符号の説明】
【０１０９】
１０…移動通信端末          ４１…事業者情報伝送部
４２…ＣＣ比較部            ４３…ローカル呼処理部
４４…国際呼処理部          ６１…海外ローミングモード認知部
６２…ＴＯＮ確認部          ６３…着信番号確認ウィンドウ生成部
６４…着信番号変更部        ６５…呼発信要請部
６６…国コード比較部        ６７…発信番号変更部
４００…国際呼ローミングサービス提供システム
６００…国際呼ローミング装置
【図１】
2010529711.tif 000003
【図２】
2010529711.tif 000004
【図３】
2010529711.tif 000005
【図４】
2010529711.tif 000006
【図５】
2010529711.tif 000007
【図６】
2010529711.tif 000008
【図７】
2010529711.tif 000009
【図８】
2010529711.tif 000010
【図９】
2010529711.tif 000011
【図１０】
2010529711.tif 000012
【国際調査報告】
2010529711.tif 000013
2010529711.tif 000014